(57)【特許請求の範囲】
【請求項１】
移動手摺のターミナル部に配置されたゲートローラを回転させる駆動ローラと、この駆動ローラによって回転する前記ゲートローラに接触し、前記ゲートローラに付着したごみを除去する清掃具とを備えた乗客コンベアのゲートローラ清掃装置において、
前記駆動ローラと前記清掃具とが収納される枠体と、
前記枠体の、前記移動手摺の走行方向と直交する方向の両側部にそれぞれ取り付けられる一対の側板と、
前記駆動ローラを位置決めする位置決め部と、を備え、
前記駆動ローラは、前記ゲートローラのうちの隣り合う第１ゲートローラと第２ゲートローラとを同時に回転させる１つのローラから成り、
前記清掃具は、前記駆動ローラを挟むように配置され、前記第１ゲートローラに付着したごみを清掃する第１清掃具と、前記第２ゲートローラに付着したごみを清掃する第２清掃具とから成り、
前記位置決め部は、前記一対の側板のそれぞれに形成され、前記第１ゲートローラ及び前記第２ゲートローラを含む前記ゲートローラを支持するフレームの先端部が嵌入する切り欠き部から成り、前記駆動ローラを、前記第１ゲートローラと前記第２ゲートローラとに接触するように位置決めすることを特徴とする乗客コンベアのゲートローラ清掃装置。
【請求項２】
請求項１に記載の乗客コンベアのゲートローラ清掃装置において、
前記第１清掃具を前記第１ゲートローラに押圧し、前記第２清掃具を前記第２ゲートローラに押圧する押圧手段をさらに備えたことを特徴とする乗客コンベアのゲートローラ清掃装置。
【請求項３】
請求項２に記載の乗客コンベアのゲートローラ清掃装置において、
前記駆動ローラの回転軸を回転駆動する回転駆動手段をさらに備え、
前記枠体は、前記駆動ローラの前記回転軸を突出させる穴を有し、前記駆動ローラと、前記第１清掃具と、前記第２清掃具と、前記押圧手段と、を収納することを特徴とする乗客コンベアのゲートローラ清掃装置。
【請求項４】
請求項２に記載の乗客コンベアのゲートローラ清掃装置において、
前記枠体内に移動可能に配置され、前記第１清掃具及び前記第２清掃具を保持する保持部をさらに備え、
前記押圧手段は、一端が前記枠体に係着され、他端が前記保持部に係着されるばねから成ることを特徴とする乗客コンベアのゲートローラ清掃装置。
【請求項５】
請求項４に記載の乗客コンベアのゲートローラ清掃装置において、
前記枠体に形成したボルト穴に相対的移動可能に係着され、前記ばねが装着されるボルトと、
前記ボルトに螺合し、前記保持部の前記ボルトの先端方向への動きを規制するナットと、をさらに備えたことを特徴とする乗客コンベアのゲートローラ清掃装置。
【請求項６】
請求項３に記載の乗客コンベアのゲートローラ清掃装置において、
前記枠体は、取っ手を備え、
前記回転駆動手段は、電動ドリルから成ることを特徴とする乗客コンベアのゲートローラ清掃装置。
【請求項７】
請求項１〜６のいずれか１項に記載の乗客コンベアのゲートローラ清掃装置において、
前記ゲートローラを支持するフレームは、前記ゲートローラを挟むように位置する前記ゲートローラを回転自在に支持する第１支持部と第２支持部とを有し、
前記第１清掃具及び前記第２清掃具のそれぞれは、清掃に用いられるブラシを有し、
前記第１清掃具及び前記第２清掃具それぞれの前記ブラシの先端の、前記移動手摺の走行方向と直交する方向の幅寸法は、前記第１ゲートローラ及び前記第２ゲートローラを含む前記ゲートローラの幅寸法以上で、前記フレームの前記第１支持部と前記第２支持部との間隔よりも小さい寸法であることを特徴とする乗客コンベアのゲートローラ清掃装置。
【請求項８】
請求項１〜７のいずれか１項に記載の乗客コンベアのゲートローラ清掃装置において、
前記枠体は、前記駆動ローラを目視可能な窓を備えることを特徴とする乗客コンベアのゲートローラ清掃装置。
【発明の詳細な説明】
【技術分野】
【０００１】
本発明は、エスカレータ、電動道路等の乗客コンベアに備えられる移動手摺が反転するターミナル部に設けられたゲートローラを、清掃する際に用いられる乗客コンベアのゲートローラ清掃装置に関する。
【背景技術】
【０００２】
この種の従来技術が特許文献１に開示されている。この特許文献１に開示された従来技術は、エスカレータの移動手摺のターミナル部に設けられ、移動手摺の裏面に接触する１つのゲートローラを回転させる駆動ローラと、この駆動ローラを駆動するモータと、駆動ローラによって回転するゲートローラに接触し、そのゲートローラに付着したごみを除去する清掃具とを備えている。
【先行技術文献】
【特許文献】
【０００３】
【特許文献１】実開昭５７−１３５５６４号公報
【発明の概要】
【発明が解決しようとする課題】
【０００４】
前述した従来技術は、モータによって駆動ローラを回転させることにより１つのゲートローラのみを清掃するものである。すなわち、複数設けられたゲートローラ毎に駆動ローラと清掃具を移動させて清掃することが必要になる。このために従来技術は、ゲートローラの清掃作業に時間がかかり、ゲートローラの清掃作業能率の向上を見込めなかった。これに伴って従来技術は、ゲートローラの清掃作業に要する費用が高くなりやすかった。
【０００５】
本発明は、前述した従来技術における実情からなされたもので、その目的は、複数のゲートローラを同時に清掃することができる乗客コンベアのゲートローラ清掃装置を提供することにある。
【課題を解決するための手段】
【０００６】
前記目的を達成するために、本発明に係る乗客コンベアのゲートローラ清掃装置は、移動手摺のターミナル部に配置されたゲートローラを回転させる駆動ローラと、この駆動ローラによって回転する前記ゲートローラに接触し、前記ゲートローラに付着したごみを除去する清掃具とを備えた乗客コンベアのゲートローラ清掃装置において、前記駆動ローラと前記清掃具とが収納される枠体と、前記枠体の、前記移動手摺の走行方向と直交する方向の両側部にそれぞれ取り付けられる一対の側板と、前記駆動ローラを位置決めする位置決め部と、を備え、前記駆動ローラは、前記ゲートローラのうちの隣り合う第１ゲートローラと第２ゲートローラとを同時に回転させる１つのローラから成り、前記清掃具は、前記駆動ローラを挟むように配置され、前記第１ゲートローラに付着したごみを清掃する第１清掃具と、前記第２ゲートローラに付着したごみを清掃する第２清掃具とから成り、前記位置決め部は、前記一対の側板のそれぞれに形成され、前記第１ゲートローラ及び前記第２ゲートローラを含む前記ゲートローラを支持するフレームの先端部が嵌入する切り欠き部から成り、前記駆動ローラを、前記第１ゲートローラと前記第２ゲートローラとに接触するように位置決めすることを特徴としている。
【発明の効果】
【０００７】
本発明に係る乗客コンベアのゲートローラ清掃装置は、１つの駆動ローラによって、隣り合う第１ゲートローラと第２ゲートローラとを同時に回転させ、第１ゲートローラに付着したごみを第１清掃具で除去でき、第２ゲートローラに付着したごみを第２清掃具で除去できる。すなわち本発明は、複数のゲートローラを同時に清掃することができ、ゲートローラ全体を短時間で清掃でき、従来に比べてゲートローラの清掃作業能率を向上させることができる。これにより本発明は、ゲートローラの清掃に要する費用を従来よりも安く抑えることができる。
【０００８】
また本発明は、位置決め部によって駆動ローラを、第１ゲートローラと第２ゲートローラに接触するように容易に位置決めすることができる。これにより本発明は、第１ゲートローラと第２ゲートローラを含むゲートローラの清掃作業の能率を向上させることができる。
【図面の簡単な説明】
【０００９】
【図１】本発明に係る乗客コンベアのゲートローラ清掃装置の一実施形態を用いてゲートローラを清掃する状態を示す側面図である。
【図２】本実施形態に係る乗客コンベアのゲートローラ清掃装置の一部を省略して示した側面図である。
【図３】本実施形態に係る乗客コンベアのゲートローラ清掃装置の一部を省略して示した正面図である。
【図４】本実施形態に係る乗客コンベアのゲートローラ清掃装置の平面図である。
【図５】本実施形態に備えられる第１清掃具を示す図で、（ａ）図は平面図、（ｂ）図は側面図、（ｃ）図は正面図である。
【発明を実施するための形態】
【００１０】
以下、本発明に係る乗客コンベアのゲートローラ清掃装置の実施の形態を図面に基づいて説明する。
【００１１】
本発明に係るゲートローラ清掃装置が用いられる乗客コンベアは、例えばエスカレータである。エスカレータの上階床乗場、及び下階床乗場のそれぞれの移動手摺が反転する図１に示すターミナル部１には、同図１では図示省略した移動手摺の裏面に接触する複数のゲートローラ２が設けられている。このゲートローラ２には経時的にごみが付着する。また、これらのごみは、移動手摺による圧接で固化する傾向にある。本実施形態に係るゲートローラ清掃装置は、ゲートローラ２に付着したごみを除去する際に用いられる。
【００１２】
本実施形態に係るゲートローラ清掃装置は、図１，２に示すように、ゲートローラ２を回転させる駆動ローラ３を備えている。この駆動ローラ３は、複数のゲートローラ２のうちの隣り合う第１ゲートローラ２Ａと第２ゲートローラ２Ｂの双方に接触し、同時に回転させる１つのローラから成っている。
【００１３】
駆動ローラ３によって回転するゲートローラ２に接触し、ゲートローラ２に付着したごみを除去する清掃具は、駆動ローラ３を挟むように配置され、第１ゲートローラ２Ａに付着したごみを清掃する第１清掃具４と、第２ゲートローラ２Ｂに付着したごみを清掃する第２清掃具５とから成っている。
【００１４】
図５に示すように、第１清掃具４は、一対の穴４ａ１が形成されたベース部材４ａと、このベース部材４ａに固定した支持部４ｂと、この支持部４ｂに支持されたステンレス製のブラシ４ｃとを備えている。第２清掃具５も第１清掃具４と同じ構成となっている。
【００１５】
図２に示すように、駆動ローラ３を、第１ゲートローラ２Ａと第２ゲートローラ２Ｂの双方に接触するように位置決めした際に、第１清掃具４のブラシ４ｃの先端が第１ゲートローラ２Ａの頂部２Ａ１に接触するように、また第２清掃具５のブラシ５ｃの先端が第２ゲートローラ２Ｂの頂部２Ｂ１に接触するように、これらの第１清掃具４及び第２清掃具５を配置してある。
【００１６】
また本実施形態は、駆動ローラ３を、第１ゲートローラ２Ａと第２ゲートローラ２Ｂに接触するように位置決めする位置決め部を備えている。この位置決め部については後述する。
【００１７】
また本実施形態は、第１清掃具４を第１ゲートローラ２Ａに押圧し、第２清掃具５を第２ゲートローラ２Ｂに押圧する押圧手段を備えている。この押圧手段についても後述する。
【００１８】
また本実施形態は、図２〜４に示すように、駆動ローラ３と、第１清掃具４及び第２清掃具５と、前述の押圧手段が収納される、例えば馬具である鞍のような全体形状をした枠体７を備えている。
【００１９】
この枠体７は、駆動ローラ３の回転軸３ａを突出させる穴７ａを有している。駆動ローラ３の回転軸３ａには、この回転軸３ａを回転駆動させる回転駆動手段、例えば図示しない電動ドリルが連結されるようになっている。
【００２０】
また本実施形態は、図示しない移動手摺の走行方向と直交する方向に位置する枠体７の両側部のそれぞれに取り付けられる例えばアクリル板から成る一対の側板８を備えている。
【００２１】
前述した位置決め部は、図３に示すように、一対の側板８のそれぞれに形成され、第１ゲートローラ２Ａ及び第２ゲートローラ２Ｂを支持するフレーム９の先端部が嵌入する切り欠き部１０から成っている。
【００２２】
また本実施形態は、枠体７内に移動可能に配置され、第１清掃具４及び第２清掃具５を保持する保持部、例えば保持板１１を備えている。前述した押圧手段は、一端が枠体７に係着され、他端が保持板１１に係着されるばね６から成っている。このばね６は、移動手摺の走行方向に対して前側位置に一対、後側位置に一対、合計４つ設けてある。
【００２３】
図２，３に示すように、前述した第１清掃具４は、ベース部材４ａの一対の穴４ａ１のそれぞれに挿入される２本のねじ２０、及びこれらのねじ２０に螺合するナット２２によって保持板１１に固定してある。同様に、第２清掃具５は、ベース部材５ａの一対の穴のそれぞれに挿入される２本のねじ２１、及びこれらのねじ２１に螺合するナット２３によって保持板１１に固定してある。
【００２４】
また本実施形態は、枠体７に形成したボルト穴、及び枠体７上に配置したブッシュ１２に形成したボルト穴に挿入され、前述したばね６がそれぞれ個別に装着される４本のボルト１３と、これらのボルト１３に螺合し、保持板１１のボルト１３の先端方向への動きを規制するナット１４とを備えている。
【００２５】
また本実施形態は、図１，２，４等に示すように、枠体７に取っ手を備え、この取っ手は第１取っ手１５と第２取っ手１６から成っている。これらの第１取っ手１５と第２取っ手１６は、例えば移動手摺の走行方向に沿うように延設し、作業者が片手を広げて把持可能な所定の間隔で配置してある。
【００２６】
図３に示すように、前述した第１ゲートローラ２Ａ、第２ゲートローラ２Ｂを含むゲートローラ２を支持するフレーム９の先端部は、ゲートローラ２Ｂ（２Ａ，２）を挟むように位置する第１支持部９ａと第２支持部９ｂを有している。
【００２７】
また本実施形態は、同図３に示すように、第１清掃具４及び第２清掃具５それぞれのブラシ４ｃ，５ｃの先端の、図示しない移動手摺の走行方向と直交する方向の幅寸法を、第１ゲートローラ２Ａ及び第２ゲートローラ２Ｂを含むゲートローラ２の幅寸法以上で、フレーム９の第１支持部９ａと第２支持部９ｂとの間隔よりも小さい寸法に設定してある。
【００２８】
また本実施形態は、図４に示すように、枠体７に、駆動ローラ３を目視可能な窓１７を設けてある。
【００２９】
このように構成した本実施形態に係るゲートローラ清掃装置を用いて、ゲートローラ２を清掃する際には、第１取っ手１５と第２取っ手１６を片手で把持して、一対の側板８のそれぞれの切り欠き部１０に、フレーム９の第１支持部９ａ、第２支持部９ｂそれぞれの先端部を嵌入させるようにして、フレーム９上に図１に示すように枠体７を配置する。
【００３０】
これにより、駆動ローラ３が隣り合う第１ゲートローラ２Ａと第２ゲートローラ２Ｂに同時に接触するように位置決めされる。これに伴い、第１清掃具４のブラシ４ｃの先端が第１ゲートローラ２Ａの頂部２Ａ１に接触し、第２清掃具５のブラシ５ｃの先端が第２ゲートローラ２Ｂの頂部２Ｂ１に接触する。
【００３１】
この間、第１取っ手１５及び第２取っ手１６を把持して枠体７を押し下げる力によってばね６が圧縮し、ボルト１３は枠体７から上方に相対的に移動して突出する。また、ばね６の力が保持板１１を介して第１清掃具４のブラシ４ｃ、及び第２清掃具５のブラシ５ｃに伝えられ、ブラシ４ｃが第１ゲートローラ２Ａの頂部２Ａ１に圧接し、ブラシ５ｃが第２ゲートローラ２Ｂの頂部に圧接する。
【００３２】
この状態で、図３，４に示すように、枠体７の貫通穴７ａから突出している駆動ローラ３の回転軸３ａに、図示しない電動ドリルを連結し、この電動ドリルを作動させることによって駆動ローラ３の回転軸３ａが回転駆動する。これにより、駆動ローラ３が回転し、この駆動ローラ３に接触する第１ゲートローラ２Ａと第２ゲートローラ２Ｂとが同時に回転する。
【００３３】
第１ゲートローラ２Ａの回転により、この第１ゲートローラ２Ａに付着し、例えば固化していたごみは、第１ゲートローラ２Ａに圧接する第１清掃具４のブラシ４ｃによって削り取られ、このブラシ４ｃに付着する。すなわちブラシ４ｃに取り込まれる。同様に、第２ゲートローラ２Ｂの回転により、この第２ゲートローラ２Ｂに付着し、例えば固化していたごみは、第２ゲートローラ２Ｂに圧接する第２清掃具５のブラシ５ｃによって削り取られ、このブラシ５ｃに付着する。
【００３４】
このように、第１ゲートローラ２Ａに付着していたごみは、第１清掃具４のブラシ４ｃに取り込まれることにより除去され、第２ゲートローラ２Ｂに付着していたごみは、第２清掃具５のブラシ５ｃに取り込まれることにより除去される。
【００３５】
以下、ゲートローラ２に含まれる他のゲートローラに対しても同様に、隣り合うゲートローラ毎に清掃することができる。
【００３６】
本実施形態によれば、前述したように、１つの駆動ローラ３によって、隣り合う第１ゲートローラ２Ａと第２ゲートローラ２Ｂとを同時に回転させ、第１ゲートローラ２Ａに付着したごみを第１清掃具４で除去でき、第２ゲートローラ２Ｂに付着したごみを第２清掃具５で除去できる。すなわち本実施形態は、複数のゲートローラ２Ａ，２Ｂを同時に清掃することができ、ゲートローラ２の全体を短時間で清掃でき、このゲートローラ２の清掃作業能率を向上させることができる。これに伴って本実施形態は、ゲートローラ２の清掃に要する費用を安く抑えることができる。
【００３７】
また本実施形態は、側板８に設けた位置決め部、すなわち切り欠き部１０によって駆動ローラ３を、第１ゲートローラ２Ａと第２ゲートローラ２Ｂに接触するように容易に位置決めすることができる。これによっても本実施形態は、第１ゲートローラ２Ａ及び第２ゲートローラ２Ｂを含むゲートローラ２の清掃作業の能率を向上させることができる。
【００３８】
また本実施形態は、第１清掃具４を第１ゲートローラ２Ａに押圧し、第２清掃具５を第２ゲートローラ２Ｂに押圧するばね６を備えたことから、ゲートローラ２Ａ，２Ｂのそれぞれに付着したごみを強い力で削り取るようにして除去することができる。これによって本実施形態は、優れた清掃性能を確保することができる。
【００３９】
また本実施形態は、保持板１１によって枠体７内に第１清掃具４及び第２清掃具５を安定した状態で配置することができる。また、ばね６で保持板１１を押圧することにより、清掃具４，５をゲートローラ２Ａ，２Ｂの対応するものに確実に押圧させることができる。
【００４０】
また本実施形態は、側板８の切り欠き部１０を介して駆動ローラ３を第１ゲートローラ２Ａ及び第２ゲートローラ２Ｂに接触するように位置決めした際に、第１清掃具４のブラシ４ｃの先端が第１ゲートローラ２Ａの頂部２Ａ１に接触し、第２清掃具５のブラシ５ｃの先端が第２ゲートローラ２Ｂの頂部２Ｂ１に接触することから、ばね６の力を第１清掃具４のブラシ４ｃと第１ゲートローラ２Ａの頂部２Ａ１との接触部に、またばね６の力を第２清掃具５のブラシ５ｃと第２ゲートローラ２Ｂの頂部２Ｂ１との接触部に、それぞれ伝達力のロスを抑えながら確実に伝えて、第１ゲートローラ２Ａ及び第２ゲートローラ２Ｂを、ブラシ４ｃ，５ｃで押圧しながら清掃することができる。このことによっても優れた清掃性能を確保することができる。
【００４１】
また本実施形態は、駆動ローラ３の回転軸３ａを枠体７の貫通穴７ａから突出させてあるので、この駆動ローラ３の回転軸３ａに図示しない電動ドリルを容易に連結することができる。また、駆動ローラ３を回転駆動する回転駆動手段が、入手が容易な図示しない電動ドリルから成ることから、この点でも実用性に富む。
【００４２】
また本実施形態は、駆動ローラ３を第１ゲートローラ２Ａと第２ゲートローラ２Ｂに接触するように位置決めする位置決め部を、側板８に設けた切り欠き部１０によって構成したことから、この位置決め部を簡単に設けることができ、この点でも実用性に富む。
【００４３】
また本実施形態は、第１清掃具４のブラシ４ｃ、及び第２清掃具５のブラシ５ｃの先端の幅寸法を、第１ゲートローラ２Ａ及び第２ゲートローラ２Ｂを含むゲートローラ２の幅寸法以上で、フレーム９の第１支持部９ａと第２支持部９ｂとの間隔よりも小さい寸法に設定してあることから、第１ゲートローラ２Ａ及び第２ゲートローラ２Ｂを含むゲートローラ２を確実に清掃することができる。また、清掃具４，５のブラシ４ｃ，５ｃによるフレーム９の損傷を抑制することができる。また、清掃具４，５の小型化を実現させることができる。
【００４４】
また本実施形態は、第１取っ手１５及び第２取っ手１６を把持することにより、枠体７をばね６の力に抗して容易に押圧することができる。このように取っ手１５，１６を設けたことによって、優れた清掃性能の確保に貢献する。
【００４５】
また本実施形態は、枠体７に、駆動ローラ３を目視可能な窓１７を設けたことから、第１ゲートローラ２Ａ及び第２ゲートローラ２Ｂを含むゲートローラ２の清掃時における駆動ローラ３の回転状態を容易に確認することができる。これにより精度の高い清掃が可能となる。
【符号の説明】
【００４６】
１    ターミナル部
２    ゲートローラ
２Ａ  第１ゲートローラ
２Ｂ  第２ゲートローラ
３    駆動ローラ
３ａ  回転軸
４    第１清掃具
４ｃ  ブラシ
５    第２清掃具
５ｃ  ブラシ
６    ばね（押圧手段）
７    枠体
７ａ  貫通穴
８    側板
９    フレーム
９ａ  第１支持部
９ｂ  第２支持部
１０    切り欠き部（位置決め部）
１１    保持板（保持部）
１３    ボルト
１４    ナット
１５    第１取っ手
１６    第２取っ手
１７    窓
【図１】
0006383672.tif 000002
【図２】
0006383672.tif 000003
【図３】
0006383672.tif 000004
【図４】
0006383672.tif 000005
【図５】
0006383672.tif 000006